(57)【要約】【課題】小型化が十分に図られたトランスの提供。【解決手段】１次巻線５１は、仕切板２２、２３よりも上下方向及び前後方向へ突出しないように第１セクション２１Ａに巻回されている。第一の２次巻線５２、第二の２次巻線５３は、仕切板２２、２３よりも上下方向及び前後方向へ突出しないように第３セクション２１Ｃに巻回されている。補助巻線５４は３層絶縁ワイヤからなり、仕切板２２、２３よりも上下方向及び前後方向へ突出しないように第２セクション２１Ｂに巻回され、その一端部、他端部は仕切板２２の引出溝を通されて、略筒状部２１の軸方向に直交する方向における底壁２１Ｄの端部に対向して端子台３１の方へ引出されている。溝状をなす仕切板２２、２３間には、ケース４０の板状リブ４０Ｂが挿入されている。【選択図】図３
2012099590.tif 000002
【特許請求の範囲】
【請求項１】
絶縁材料からなる略筒状部を備え、該略筒状部の外周面が該略筒状部の軸方向に隣接して並ぶ第１セクションと第２セクションと第３セクションとを有するボビンと、
該ボビンに設けられた端子電極と、
該略筒状部の内周面により画成される空間に挿入される挿入部と該筒状部を取り囲む囲み部とを有するコアと、
絶縁被膜により被覆された導線からなり該第１セクションに巻回され一端部及び他端部が該端子電極に電気的に接続された１次巻線と、
絶縁被膜により被覆された導線からなり該第３セクションに巻回され一端部及び他端部が該端子電極に電気的に接続された２次巻線と、
該１次巻線及び該２次巻線の絶縁被膜よりも絶縁性の高い絶縁被膜により被覆された導線からなり該第２セクションに巻回された高絶縁巻線と、を備え、
該第１セクションと該第２セクションとの境界部、及び該第２セクションと該３セクションとの境界部には、該略筒状部の周方向へ延出する仕切板がそれぞれ立設され、該第１セクションと該第２セクションとは該仕切板によって仕切られ且つ該第２セクションと該３セクションとは該仕切板によって仕切られることにより該第２セクションは溝状をなし、
該溝状の該第２セクションに係合する凸部と、該１次巻線、該２次巻線、及び高絶縁巻線と該コアとの間に配置されたケース本体部とを有するケースを備えることを特徴とするトランス。
【請求項２】
該略筒状部は実装基板に対向する実装基板対向部を有し、
該端子電極は該略筒状部の軸方向端部に配置され、
該高絶縁巻線の一部であって該第２セクションから該端子電極へ引出されている部分は該実装基板対向部に対向していることを特徴とする請求項１記載のトランス。
【請求項３】
該略筒状部の軸方向に直交する平面で切った該略筒状部の断面形状は底壁と上壁と互いに平行な一対の側壁とを有する略長方形状をなし、該底壁は該実装基板対向部をなし、
該高絶縁巻線は、該第２セクションの一部であって該底壁の端部に対向する位置から該端子電極へ引出されていることを特徴とする請求項２記載のトランス。
【請求項４】
該高絶縁巻線は三層絶縁ワイヤからなることを特徴とする請求項１乃至請求項３のいずれか一記載のトランス。
【請求項５】
該凸部は該ケース本体部と一体で構成されていることを特徴とする請求項１乃至請求項４のいずれか一記載のトランス。
【発明の詳細な説明】
【技術分野】
【０００１】
本発明はトランスに関し、特にボビンの略筒状部の周面が略筒状部の軸方向において複数のセクションに仕切られ１次巻線、２次巻線が別々のセクションに巻回されているトランスに関する。
【背景技術】
【０００２】
１次巻線と２次巻線とがボビンに巻回されている構成の電源用のトランスが従来より知られている。ボビンは略筒状部を有しており、略筒状部の軸方向において略筒状部の周面は仕切板によって複数のセクションに仕切られている。各セクションには、１次巻線、２次巻線がそれぞれ巻回されており、略筒状部の軸方向においては、仕切板が所定の厚さを有することにより１次巻線と２次巻線とが所定の距離で離間し、安全規格を満たしている。このようなトランスは、例えば、実開平５−４８３１３号公報（特許文献１）に記載されている。
【先行技術文献】
【特許文献】
【０００３】
【特許文献１】実開平５−４８３１３号公報
【発明の概要】
【発明が解決しようとする課題】
【０００４】
近年ではトランス等の電子部品にはさらなる小型化が要求されている。しかしながら、上述した従来のトランスでは小型化が十分に図られていなかった。
【０００５】
そこで本発明は、小型化が十分に図られたトランスを提供することを目的とする。
【課題を解決するための手段】
【０００６】
上記目的を達成するために、本発明は、絶縁材料からなる略筒状部を備え、該略筒状部の外周面が該略筒状部の軸方向に隣接して並ぶ第１セクションと第２セクションと第３セクションとを有するボビンと、該ボビンに設けられた端子電極と、該略筒状部の内周面により画成される空間に挿入される挿入部と該筒状部を取り囲む囲み部とを有するコアと、絶縁被膜により被覆された導線からなり該第１セクションに巻回され一端部及び他端部が該端子電極に電気的に接続された１次巻線と、絶縁被膜により被覆された導線からなり該第３セクションに巻回され一端部及び他端部が該端子電極に電気的に接続された２次巻線と、該１次巻線及び該２次巻線の絶縁被膜よりも絶縁性の高い絶縁被膜により被覆された導線からなり該第２セクションに巻回された高絶縁巻線と、を備え、該第１セクションと該第２セクションとの境界部、及び該第２セクションと該３セクションとの境界部には、該略筒状部の周方向へ延出する仕切板がそれぞれ立設され、該第１セクションと該第２セクションとは該仕切板によって仕切られ且つ該第２セクションと該３セクションとは該仕切板によって仕切られることにより該第２セクションは溝状をなし、該溝状の該第２セクションに係合する凸部と、該１次巻線、該２次巻線、及び高絶縁巻線と該コアとの間に配置されたケース本体部とを有するケースを備えるトランスを提供している。
【０００７】
絶縁被膜により被覆された導線からなり第１セクションに巻回され一端部及び他端部が端子電極に電気的に接続された１次巻線と、絶縁被膜により被覆された導線からなり第３セクションに巻回され一端部及び他端部が端子電極に電気的に接続された２次巻線と、１次巻線及び２次巻線の絶縁被膜よりも絶縁性の高い絶縁被膜により被覆された導線からなり第２セクションに巻回された高絶縁巻線と、を備えるため、従来１次巻線と２次巻線とを所定の距離で離間させるためのデッドスペースとなっていた部分を、高絶縁巻線を巻回するためのスペースとして有効活用することができる。
【０００８】
また、第１セクションと第２セクションとの境界部、及び第２セクションと３セクションとの境界部には、略筒状部の周方向へ延出する仕切板がそれぞれ立設され、第１セクションと第２セクションとは仕切板によって仕切られ且つ第２セクションと３セクションとは仕切板によって仕切られることにより第２セクションは溝状をなし、溝状の第２セクションに係合する凸部と、１次巻線、２次巻線、及び高絶縁巻線とコアとの間に配置されたケース本体部とを有するケースを備えるため、１次巻線と２次巻線との間の沿面距離をより長く確保することができる。このため、略筒状部の軸方向における１次巻線と２次巻線との間の距離をより小さくすることができる。この結果、小型化及び低背化の要求を充足し、且つ、所望の巻回数で１次巻線又は２次巻線を巻回することができる。
【０００９】
ここで、該略筒状部は実装基板に対向する実装基板対向部を有し、該端子電極は該略筒状部の軸方向端部に配置され、該高絶縁巻線の一部であって該第２セクションから該端子電極へ引出されている部分は該実装基板対向部に対向していることが好ましい。
【００１０】
トランスが実装基板に実装されたときには、ボビンに巻回された１次巻線、２次巻線、及び高絶縁巻線は実装基板から所定の距離を隔てて離間するように実装される。高絶縁巻線の一部であって第２セクションから端子電極へ引出されている部分は実装基板対向部に対向しているため、このように所定の距離を隔てて離間された１次巻線と実装基板との間の空間を、高絶縁巻線を端子電極へと引出すための空間として有効利用することができる。
【００１１】
また、該略筒状部の軸方向に直交する平面で切った該略筒状部の断面形状は底壁と上壁と互いに平行な一対の側壁とを有する略長方形状をなし、該底壁は該実装基板対向部をなし、該高絶縁巻線は、該第２セクションの一部であって該底壁の端部に対向する位置から該端子電極へ引出されていることが好ましい。
【００１２】
１次巻線、２次巻線、及び高絶縁巻線は、略筒状部の断面形状が底壁と上壁と互いに平行な一対の側壁とを有する略長方形状をなしている場合には、それぞれ底壁、上壁、側壁の端部に接触するように、即ち、略長方形状の角部に接触するように略筒状部の外周面に巻回された状態となる。略筒状部の軸方向に直交する平面で切った略筒状部の断面形状は底壁と上壁と互いに平行な一対の側壁とを有する略長方形状をなし、高絶縁巻線は、第２セクションの一部であって底壁の端部に対向する位置から端子電極へ引出されているため、第２セクションを規定する略筒状部の外周面に極力近い位置から高絶縁巻線を引出すことができ、トランスが実装基板に実装されたときに実装基板から極力離れた位置において、高絶縁巻線を引出すことができる。
【００１３】
また、該高絶縁巻線は三層絶縁ワイヤからなることが好ましい。高絶縁巻線は三層絶縁ワイヤからなるため、略筒状部の軸方向における１次巻線と２次巻線との間の距離を更に小さくすることができる。
【００１４】
また、該凸部は該ケース本体部と一体で構成されていることが好ましい。凸部はケース本体部と一体で構成されているため、ケースの構成を簡単にすることができる。
【発明の効果】
【００１５】
以上により本発明は、小型化が十分に図られたトランスを提供することができる。
【図面の簡単な説明】
【００１６】
【図１】本発明の実施の形態によるトランスを示す平面図。
【図２】本発明の実施の形態によるトランスを示す底面図。
【図３】本発明の実施の形態によるトランスを示す断面図。
【図４】本発明の実施の形態によるトランスの１次巻線、２次巻線、補助巻線、及びボビンを示す底面図。
【図５】本発明の実施の形態によるトランスを示す回路図。
【発明を実施するための形態】
【００１７】
本発明の実施の形態によるトランスについて図１乃至図５に基づき説明する。トランス１は、コア１０（図２等）と、ボビン２０（図３等）と、導線５０（図３等）と、ケース４０（図１等）とを有している。以下の説明では、図１の上方向を右方向と定義し下方向を左方向と定義して説明する。また、図１の左方向を前方向と定義し右方向を後方向と定義して説明する。また、図１の紙面の表面から裏面へと向かう方向を下方向と定義し、図１の紙面の裏面から表面へと向かう方向を上方向と定義して説明する。
【００１８】
コア１０は同一形状で一対設けられている。コア１０は全体として略Ｅ字形状をなしており、底壁部１０Ａ（図３）と、当該底壁部１０Ａの一端と他端とからそれぞれ離間するように延出する一対の側壁部１０Ｂ（図２）と、当該底壁部１０Ａの中央部から離間するように延出する中央壁部１０Ｃ（図３）とをそれぞれ有している。側壁部１０Ｂは囲み部に相当し、中央壁部１０Ｃは挿入部に相当する。一方のコア１０の一対の側壁部１０Ｂの延出端は、図２に示すようにそれぞれ他方のコア１０の側壁部１０Ｂの延出端と面で当接している。一方のコア１０の中央壁部１０Ｃの延出端は、他方のコア１０の中央壁部１０Ｃの延出端とは当接せずにこれらはわずかな距離で離間している。この距離はわずかであるため、図３では作図の便宜上あたかも当接しているかのように現れている。
【００１９】
ボビン２０（図４）は、絶縁樹脂により構成され略筒形状をなしその軸方向両端たる左右方向両端に端子台３１、３２が設けられた略筒状部２１を有している。略筒状部２１は、当該略筒状部２１の軸方向に直交する面で切った断面形状が、一対の平行な直線状をなす底壁２１Ｄ及び上壁２１Ｅと、一対の平行な直線状をなす図示せぬ側壁と、を有する略長方形状の略筒状をなしている。略筒状部２１の内周面により画成される空間２１ａ（図３）にはコア１０の中央壁部１０Ｃが挿入されている。略筒状部２１の軸方向における長さは３１ｍｍ程度である。略筒状部２１の底壁２１Ｄは、トランス１が実装される図示せぬ実装基板の表面に平行をなすと共に対向しており、実装基板対向部に相当する。
【００２０】
略筒状部２１の周面には仕切板２２、２３が設けられている。仕切板２２、２３は、図２〜図４に示すように、略筒状部２１の外周面の周方向に沿って全周に渡り板状をなして立設されている。仕切板２２、２３によって略筒状部２１の周面は、略筒状部２１の軸方向において、第１セクション２１Ａ、第２セクション２１Ｂ、第３セクション２１Ｃの３つのセクションに仕切られており、仕切板２２、２３と第２セクション２１Ｂとで溝状をなしている。
【００２１】
上下方向における仕切板２２、２３の上端から仕切板２２、２３の下端までの長さは１５ｍｍ程度であり、略筒状部２１の軸方向における仕切板２２、２３間の距離は１ｍｍよりも大きな値である必要があり、例えば１．２ｍｍ程度である。
【００２２】
図４に示すように、仕切板２２の一部であって略筒状部２１の底壁２１Ｄ（図３）に設けられている部分には、引出溝２２ａ、２２ｂが形成されている。引出溝２２ａ、２２ｂは、当該仕切板２２の一部であって前後の端部にそれぞれ形成されており、第１セクション２１Ａと第２セクション２１Ｂとを結ぶように略筒状部２１の軸方向へ形成されている。
【００２３】
端子台３１、３２は、略筒状部２１の軸方向における一端及び他端には設けられている。端子台３１、３２は、略筒状部２１と同一の絶縁樹脂により構成されており、略筒状部２１の底壁２１Ｄと一体をなしている。端子台３１、３２は、それぞれ前後方向、即ち略筒状部２１の軸方向に直交する方向に延出している。一方の端子台３１には当該延出方向へ所定の間隔で９本の金属製のＬ字状（図３）のピンからなる端子電極６１、６２、６３、６４、６５、６６、６７、６８、６９が、それぞれ右から左へ向かう方向と上から下へと向かう方向とに、端子台３１から延出して設けられている。また、他方の端子台３２には当該延出方向へ所定の間隔で８本の金属製のＬ字状のピンからなる端子電極７１、７２、７３、７４、７５、７６、７７、７８が、それぞれ左から右へ向かう方向と上から下へ向かう方向とに、端子台３２から延出して設けられている。端子台３１の底面には、略筒状部２１の軸方向へ延出する凸部３１Ａ、３１Ｂ、３１Ｃ、３１Ｄ、３１Ｅ、３１Ｆ、３１Ｇ、３１Ｈ、３１Ｉが設けられている。端子台３２の底面には、略筒状部２１の軸方向へ延出する凸部３２Ａ、３２Ｂ、３２Ｃ、３２Ｄ、３２Ｅ、３２Ｆ、３２Ｇ、３２Ｈが設けられている。
【００２４】
導線５０は、図３に示すように、１次巻線５１と、補助巻線５４と、第一の２次巻線５２と、第二の２次巻線５３とを有している。１次巻線５１、第一の２次巻線５２、第二の２次巻線５３はそれぞれウレタン等の絶縁性被覆が施された銅線からなる。補助巻線５４は、１次巻線５１、第一の２次巻線５２、第二の２次巻線５３の絶縁性被覆よりも絶縁性の高い高絶縁性被覆たる３層の絶縁性被覆が施された銅線からなる三層絶縁ワイヤ（適用安全規格：ＩＥＣ６００６５他）により構成されている。
【００２５】
１次巻線５１は、仕切板２２、２３よりも上下方向及び前後方向へ突出しないように第１セクション２１Ａに巻回され、端子台３１の方へ引出され、端子台３１において凸部３１Ｂと凸部３１Ｃとの間、凸部３１Ｄと凸部３１Ｅとの間にそれぞれ通されている。そして、その一端部、他端部は、端子電極６２、６４にそれぞれ巻回され当該巻回された部分がはんだ付け等により端子電極６２、６４に電気的に接続されている。なお、図２、図４においては、説明の便宜上１次巻線５１の一端部、他端部については、端子電極６２、６４にそれぞれ巻回されたままの状態で図示しており、後述の第一の２次巻線５２、第二の２次巻線５３、補助巻線５４についても同様である。
【００２６】
第一の２次巻線５２は、仕切板２２、２３よりも上下方向及び前後方向へ突出しないように第３セクション２１Ｃに巻回され、端子台３２の方へ引出され、端子台３２において凸部３２Ｂと凸部３２Ｃとの間、凸部３２Ｅと凸部３２Ｆとの間に通されている。そして、その一端部、他端部は、端子電極７２、７６にそれぞれ巻回され当該巻回された部分がはんだ付け等により端子電極７２、７６に電気的に接続されている。
【００２７】
同様に第二の２次巻線５３は、仕切板２２、２３よりも上下方向及び左右方向へ突出しないように第一の２次巻線５２が巻回された第３セクション２１Ｃに第一の２次巻線５２に重ねられて巻回され、端子台３２の方へ引出され、端子台３２において凸部３２Ｃと凸部３２Ｄとの間、凸部３２Ｆと凸部３２Ｇとの間に通されている。そして、その一端部、他端部は、端子電極７３、７７にそれぞれ巻回され当該巻回された部分がはんだ付け等により端子電極７３、７７に電気的に接続されている。
【００２８】
補助巻線５４は、仕切板２２、２３よりも上下方向及び前後方向へ突出しないように第２セクション２１Ｂに巻回され、仕切板２２の引出溝２２ａを通されて、略筒状部２１の断面形状を規定する前述の底壁２１Ｄに対向する位置であって略筒状部２１の軸方向に直交する方向における底壁２１Ｄの端部に対向する位置を通されて端子台３１の方へ引出され、端子台３１において凸部３１Ｇと凸部３１Ｈとの間、凸部３１Ｈと凸部３１Ｉとの間に通されている。そして、その一端部、他端部は端子電極６８、６９にそれぞれ巻回され当該巻回された部分がはんだ付け等により端子電極６８、６９に電気的に接続されている。
【００２９】
図示せぬ実装基板上において補助巻線５４は、トランス１を駆動制御するための図示せぬＩＣに対して電源電圧を供給するために当該図示せぬＩＣに電気的に接続される。このように補助巻線５４によって図示せぬＩＣに電源電圧を供給できるため、図示せぬＩＣに電源電圧を供給するためにトランス１とは別個のトランスを設けずに済み、コストの低減を図ることができる。なお、第１セクション２１Ａ、第３セクション２１Ｃにおいては、図４においては説明の便宜上図示を省略しているが、図２に示すように、１次巻線５１、第二の２次巻線５３、及び補助巻線５４の引出されている部分の上にこれらを覆うように絶縁テープ８１、８２がそれぞれ巻回されている。
【００３０】
ケース４０は絶縁樹脂により構成されており、図１〜図３に示すようにボビン２０の上側全体と左側全体と右側全体と前側全体と後側全体とを覆っている。ケース４０の一部であって略筒状部２１の内周面により画成される空間２１ａの端部開口に対向する部分には、当該端部開口と略同一形状の貫通孔４０ａ（図３）がそれぞれ形成されている。貫通孔４０ａには前述のコア１０の中央壁部１０Ｃが貫通し、貫通孔４０ａを貫通した中央壁部１０Ｃは略筒状部２１の内周面により画成される空間２１ａに挿入されている。このような構成により、１次巻線５１、補助巻線５４、第一の第一の２次巻線５２、及び第二の２次巻線５３の何れともコア１０は直接対向せず、１次巻線５１、補助巻線５４、第一の第一の２次巻線５２、及び第二の２次巻線５３とコア１０との間にはケース４０又はボビン２０が介在した状態となっている。１次巻線５１、補助巻線５４、第一の第一の２次巻線５２、及び第二の２次巻線５３とコア１０との間に介在しているケース４０の部分はケース本体部に相当する。
【００３１】
また、ケース４０の最上部は略長方形状をした板状部４０Ａ（図１）を有しており、板状部４０Ａの上面には板状部４０Ａの端縁を除いて下方へ窪んだ凹部４０ｂが形成されている。凹部４０ｂには略長方形状の金属板４１が設けられている。金属板４１が設けられているため、図示せぬ実装基板に実装され電力が供給された導線５０により発生した漏れ磁束を金属板４１において防磁（シールド）することができる。このため、図示せぬ実装基板上に実装されたトランス１に対向する位置に他の金属板等が配置された場合であっても当該他の金属板が加熱されてしまうことを抑えることができる。
【００３２】
また、ケース４０の下面であって第２セクション２１Ｂに対向する部分には、略筒状部２１の軸方向に直行する方向に延びる板状リブ４０Ｂ（図２）が設けられている。板状リブ４０Ｂは凸部に相当する。板状リブ４０Ｂは、ケース４０の下面であって、略筒状部２１の上壁２１Ｅに対向する部分及び図示せぬ一対の側壁に対向する部分に設けられており、図３に示すように仕切板２２、２３間に挿入されている。板状リブ４０Ｂが設けられているため、１次巻線５１と第一の２次巻線５２、第二の２次巻線５３との沿面距離を所定の値よりも長く確保することができる。このため、略筒状部２１の軸方向における１次巻線５１と第一の２次巻線５２、第二の２次巻線５３との間の距離をより小さくすることができる。また、ケース４０のケース本体部と一体で板状リブ４０Ｂが構成されているため、ケース４０の構成を簡単にすることができる。
【００３３】
また、絶縁被膜により被覆された導線からなり第１セクション２１Ａに巻回され一端部及び他端部が端子電極６２、６４に電気的に接続された１次巻線５１と、絶縁被膜により被覆された導線からなり第３セクション２１Ｃに巻回され一端部及び他端部が端子電極７２、７３、７６、７７に電気的に接続された第一の２次巻線５２、第二の２次巻線５３と、１次巻線５１、第一の２次巻線５２、及び第二の２次巻線５３の絶縁被膜よりも絶縁性の高い絶縁被膜により被覆された三層絶縁ワイヤからなり第２セクション２１Ｂに巻回された補助巻線５４と、を備えるため、従来１次巻線５１と第一の２次巻線５２及び第二の２次巻線５３とを所定の距離で離間させるためのデッドスペースとなっていた部分を、補助巻線５４を巻回するためのスペースとして有効活用することができる。このため、板状リブ４０Ｂが仕切板２２、２３間に挿入されている構成と相まって、トランス１の小型化及び低背化の要求を充足し、且つ、所望の巻回数で１次巻線５１、第一の２次巻線５２、第二の２次巻線５３を巻回することができる。また、補助巻線５４は三層絶縁ワイヤからなるため、略筒状部２１の軸方向における１次巻線５１と第一の２次巻線５２、第二の２次巻線５３との間の距離を更に小さくすることができる。
【００３４】
また、トランス１が図示せぬ実装基板に実装されたときには、ボビン２０に巻回された１次巻線５１、第一の２次巻線５２、第二の２次巻線５３、及び補助巻線５４は図示せぬ実装基板から所定の距離を隔てて離間するように実装される。前述のように補助巻線５４の一部であって第２セクション２１Ｂから端子電極６８、６９へ引出されている部分は実装基板対向部に対向しているため、このように所定の距離を隔てて離間された１次巻線５１と実装基板との間の空間を、補助巻線５４を端子電極６８、６９へと引出すための空間として有効利用することができる。
【００３５】
また、１次巻線５１、第一の２次巻線５２、第二の２次巻線５３、及び補助巻線５４は、本実施の形態のように略筒状部２１の断面形状が底壁２１Ｄと上壁２１Ｅと互いに平行な一対の側壁とを有する略長方形状をなしている場合には、それぞれ底壁２１Ｄ、上壁２１Ｅ、側壁の端部に接触するように、即ち、略長方形状の角部に接触するように略筒状部２１の外周面に巻回された状態となる。補助巻線５４は、第２セクション２１Ｂの一部であって底壁２１Ｄの端部に対向する位置から端子電極６８、６９へ引出されているため、第２セクション２１Ｂを規定する略筒状部２１の外周面に極力近い位置から補助巻線５４を引出すことができ、トランス１が実装基板に実装されたときに実装基板から極力離れた位置において、補助巻線５４を引出すことができる。
【００３６】
本発明のトランスは、上述した実施の形態に限定されず、特許請求の範囲に記載した範囲で種々の変形や改良が可能である。例えば、本実施の形態では、ケース４０のケース本体部と一体で板状リブ４０Ｂが構成されていたが、この構成に限定されない。
【００３７】
また、本実施の形態では、補助巻線５４は、トランス１を駆動制御するための図示せぬＩＣに対して電源電圧を供給するために当該図示せぬＩＣに電気的に接続されていたが、この構成に限定されない。
【００３８】
略筒状部２１は、当該略筒状部２１の軸方向に直交する面で切った断面形状が、一対の平行な直線状をなす図示せぬ側壁と、一対の平行な直線状をなす上壁２１Ｅ及び底壁２１Ｄと、を有する略長方形状の略筒状をなしていたが、この形状に限定されない。例えば断面形状が円形をなしていてもよい。
【００３９】
また、端子台３１、３２は、略筒状部２１の軸方向両端に設けられたがこの位置に設けられることに限定されず、従って、端子電極も略筒状部の軸方向両端に設けられることに限定されない。
【００４０】
また、略筒状部２１の外周面は第１セクション２１Ａ〜第３セクション２１Ｃの３つのセクションに仕切られていたが、３つに限定されずそれ以上に仕切られてもよい。従って、１次巻線５１が巻回されたセクションが複数であってもよく、２次巻線５２が巻回されたセクションが複数であってもよい。この場合であっても、１次巻線５１が巻回されたセクションと、２次巻線５２、５３が巻回されたセクションとの間に補助巻線５４が巻回されたセクションが設けられた構成とする。
【産業上の利用可能性】
【００４１】
本発明のトランスは、特にボビンの略筒状部の周面が略筒状部の軸方向において複数のセクションに仕切られ１次巻線、２次巻線が別々のセクションに巻回されているトランスの分野において特に有用である。
【符号の説明】
【００４２】
１                  トランス
１０                コア
２０                ボビン
２１                略筒状部
２１Ａ              第１セクション
２１Ｂ              第２セクション
２１Ｃ              第３セクション
２２、２３          仕切板
２２ａ              引出溝
４０                ケース
４０Ｂ              板状リブ
５１                １次巻線
５２                第一の２次巻線
５３                第二の２次巻線
５４                補助巻線
６１、６２、６３、６４、６５、６６、６７、６８、６９、７１、７２、７３、７４、７５、７６、７７、７８              端子電極
【図１】
2012099590.tif 000003
【図２】
2012099590.tif 000004
【図３】
2012099590.tif 000005
【図４】
2012099590.tif 000006
【図５】
2012099590.tif 000007